(57)【要約】【課題】  汎用ＷＷＷ文書から閲覧する文書、その抽出部分、生成されるページのレイアウト等を、ユーザ側で、自在に設定することができ、個々の携帯端末利用者に特化された携帯端末用ＷＷＷ文書を提供することができる携帯端末用ＷＷＷ文書作成装置、携帯端末用ＷＷＷ文書作成システム、携帯端末用ＷＷＷ文書作成方法、プログラムおよび記録媒体を提供することを目的とする。【解決手段】  汎用ＷＷＷ文書における必要情報の存在箇所と、必要情報を表示する携帯端末の表示領域とを指定する表示情報に基づいて、上記汎用ＷＷＷ文書の中から、上記存在箇所に対応する必要情報を、抽出し、この抽出した必要情報を、上記携帯端末の上記表示領域と関連付けて、携帯端末用ＷＷＷ情報として、保存し、この保存されている携帯端末用ＷＷＷ情報に基づいて、インターネット上に携帯端末で閲覧可能な携帯端末用ＷＷＷ文書を、提供する携帯端末用ＷＷＷ文書作成装置である。【選択図】  図１
2005322177.tif 000002
【特許請求の範囲】
【請求項１】
インターネット上で閲覧可能に提供される汎用ＷＷＷ文書に基づいて、携帯端末で閲覧可能な携帯端末用ＷＷＷ文書を作成する携帯端末用ＷＷＷ文書作成装置において、
上記汎用ＷＷＷ文書における必要情報の存在箇所と、上記必要情報を表示する携帯端末の表示領域とを指定する表示情報を、入力する表示情報入力手段と；
上記表示情報入力手段によって入力された上記表示情報に基づいて、上記汎用ＷＷＷ文書の中から、上記存在箇所に対応する必要情報を、抽出する必要情報抽出手段と；
上記必要情報抽出手段が抽出した必要情報を、上記携帯端末の上記表示領域と関連付けて、携帯端末用ＷＷＷ情報として、保存する携帯端末用ＷＷＷ情報保存手段と；
上記携帯端末用ＷＷＷ情報保存手段に保存されている上記携帯端末用ＷＷＷ情報に基づいて、インターネット上に携帯端末で閲覧可能な携帯端末用ＷＷＷ文書を、提供する携帯端末用ＷＷＷ情報提供手段と；
を有することを特徴とする携帯端末用ＷＷＷ文書作成装置。
【請求項２】
請求項１において、
上記汎用ＷＷＷ文書、上記携帯端末用ＷＷＷ文書は、それぞれ文書を定義する文書定義情報を含み、
上記必要情報抽出手段は、上記汎用ＷＷＷ文書から抽出した必要情報の文書定義情報を、携帯端末用ＷＷＷ文書の文書定義情報に変換する文書定義情報変換部を有する手段であることを特徴とする携帯端末用ＷＷＷ文書作成装置。
【請求項３】
請求項１または請求項２において、
上記必要情報抽出手段は、抽出された必要情報について、上記必要情報のデータ量が、所定のしきい値を超えるか否かを判定するデータ量判定部と；
上記必要情報のデータ量が、所定のしきい値を超えると判定された場合、上記必要情報を分割する情報分割部と；
上記分割された必要情報毎に、上記分割された必要情報を、順番にリンクさせるリンク情報を付加するリンク情報付加部と；
を有することを特徴とする携帯端末用ＷＷＷ文書作成装置。
【請求項４】
請求項３において、
上記しきい値は、携帯端末用ＷＷＷ文書１ページ分のデータ量であることを特徴とする携帯端末用ＷＷＷ文書作成装置。
【請求項５】
請求項１〜請求項４のいずれか１項において、
上記携帯端末用ＷＷＷ情報提供手段は、端末識別情報を認証する端末識別情報認証部を有し、上記端末識別情報認証部が認証した端末識別情報を入力した携帯端末にのみ、携帯端末用ＷＷＷ文書を閲覧可能に提供する手段であることを特徴とする携帯端末用ＷＷＷ文書作成装置。
【請求項６】
インターネット上でウェブサーバによってユーザ端末に閲覧可能に提供される汎用ＷＷＷ文書に基づいて、携帯端末で閲覧可能な携帯端末用ＷＷＷ文書を作成する携帯端末用ＷＷＷ文書作成システムにおいて、
上記ユーザ端末が、上記汎用ＷＷＷ文書における必要情報の存在箇所と、該必要情報とを表示する携帯端末の表示領域を、表示情報として指定する表示情報指示手段と；
上記ウェブサーバが、上記ユーザ端末の上記表示情報指示手段によって指定された上記表示情報に基づいて、上記汎用ＷＷＷ文書の中から、上記存在箇所に対応する必要情報を抽出する必要情報抽出手段と；
上記必要情報抽出手段によって抽出された必要情報を上記携帯端末の上記表示領域と関連付けて携帯端末用ＷＷＷ情報として保存する携帯端末用ＷＷＷ情報保存手段と；
上記携帯端末用ＷＷＷ情報保存手段が保存している上記携帯端末用ＷＷＷ情報に基づいて、インターネット上に携帯端末で閲覧可能な携帯端末用ＷＷＷ文書を提供する携帯端末用ＷＷＷ情報提供手段と；
を有することを特徴とする携帯端末用ＷＷＷ文書作成システム。
【請求項７】
請求項６において、
上記汎用ＷＷＷ文書、上記携帯端末用ＷＷＷ文書は、それぞれ文書を定義する文書定義情報を含み、
上記必要情報抽出手段は、上記汎用ＷＷＷ文書から抽出した必要情報の文書定義情報を、携帯端末用ＷＷＷ文書の文書定義情報に変換する文書定義情報変換部を有する手段であることを特徴とする携帯端末用ＷＷＷ文書作成システム。
【請求項８】
請求項６または請求項７において、
上記必要情報抽出手段は、
抽出された必要情報について、必要情報のデータ量が所定のしきい値を超えるか否かを判定するデータ量判定部と；
必要情報のデータ量が所定のしきい値を超えると判定された場合に、必要情報を分割する情報分割部と；
分割された必要情報毎に分割された必要情報を、順番にリンクさせるリンク情報を付加するリンク情報付加部と；
を有する手段であることを特徴とする携帯端末用ＷＷＷ文書作成システム。
【請求項９】
請求項８において、
上記しきい値は、携帯端末用ＷＷＷ文書１ページ分のデータ量であることを特徴とする携帯端末用ＷＷＷ文書作成システム。
【請求項１０】
請求項６〜請求項９のいずれか１項において、
上記ユーザ端末の上記表示情報指示手段は、端末識別情報を入力する端末識別情報入力部を有する手段であり、
上記ウェブサーバの上記携帯端末用ＷＷＷ情報提供手段は、端末識別情報を認証する端末識別情報認証部を有し、上記端末識別情報認証部によって認証された端末識別情報を入力した携帯端末にのみ携帯端末用ＷＷＷ文書を閲覧可能に提供する手段であることを特徴とする携帯端末用ＷＷＷ文書作成システム。
【請求項１１】
請求項６〜請求項１０のいずれか１項において、
上記ウェブサーバと上記ユーザ端末２０１は、一体であることを特徴とする携帯端末用ＷＷＷ文書作成システム。
【請求項１２】
インターネット上で、ウェブサーバによって、ユーザ端末に閲覧可能に提供される汎用ＷＷＷ文書から、携帯端末で閲覧可能な携帯端末用ＷＷＷ文書を作成する携帯端末用ＷＷＷ文書作成方法において、
上記汎用ＷＷＷ文書における必要情報の存在箇所と、上記必要情報を表示する携帯端末の表示領域とを、表示情報として指定し、メモリに記憶する表示情報指定ステップと；
上記表示情報指定ステップで指定された上記表示情報に基づいて、上記汎用ＷＷＷ文書の中から、上記存在箇所に対応する必要情報を抽出し、メモリに記憶する必要情報抽出ステップと；
上記必要情報抽出ステップで抽出された必要情報を、上記携帯端末の上記表示領域と関連付けて、携帯端末用ＷＷＷ情報として、メモリに保存する携帯端末用ＷＷＷ情報保存ステップと；
上記携帯端末用ＷＷＷ情報保存ステップで保存された上記携帯端末用ＷＷＷ情報に基づいて、インターネット上に携帯端末で閲覧可能な携帯端末用ＷＷＷ文書を提供する携帯端末用ＷＷＷ文書提供ステップと；
を有することを特徴とする携帯端末用ＷＷＷ文書作成方法。
【請求項１３】
請求項１２において、
上記汎用ＷＷＷ文書、上記携帯端末用ＷＷＷ文書は、それぞれ文書を定義する文書定義情報を含む文書であり、
上記必要情報抽出ステップは、上記汎用ＷＷＷ文書から抽出した必要情報の文書定義情報を、携帯端末用ＷＷＷ文書の文書定義情報に変換するステップを有するステップであることを特徴とする携帯端末用ＷＷＷ文書作成方法。
【請求項１４】
請求項１２または請求項１３において、
上記必要情報抽出ステップは、
抽出された必要情報について、必要情報のデータ量が所定のしきい値を超えるか否かを判定するデータ量判定ステップと；
必要情報のデータ量が所定のしきい値を超えると判定された場合に、必要情報を分割する情報分割ステップと；
分割された必要情報毎に分割された必要情報を、順番にリンクさせるリンク情報を付加するリンク情報付加ステップと；
を有するステップであることを特徴とする携帯端末用ＷＷＷ文書作成方法。
【請求項１５】
請求項１４において、
上記しきい値は、携帯端末用ＷＷＷ文書１ページ分のデータ量であることを特徴とする携帯端末用ＷＷＷ文書作成方法。
【請求項１６】
請求項１２〜請求項１５のいずれか１項において、
上記表示情報指定ステップは、端末識別情報を入力する端末識別情報入力ステップを有するステップであり、
上記携帯端末用ＷＷＷ文書提供ステップは、端末識別情報を認証する端末識別情報認証ステップを有するステップであり、上記端末識別情報認証ステップで設定された端末識別情報を入力した携帯端末にのみ携帯端末用ＷＷＷ文書を閲覧可能に提供するステップであることを特徴とする携帯端末用ＷＷＷ文書作成方法。
【請求項１７】
インターネット上で、ウェブサーバによって、ユーザ端末に閲覧可能に提供される汎用ＷＷＷ文書から、携帯端末で閲覧可能な携帯端末用ＷＷＷ文書を作成する携帯端末用ＷＷＷ文書作成する場合、
上記汎用ＷＷＷ文書における必要情報の存在箇所と、上記必要情報を表示する携帯端末の表示領域とを、表示情報として指定し、メモリに記憶する表示情報指定手順と；
上記表示情報指定手順で指定された上記表示情報に基づいて、上記汎用ＷＷＷ文書の中から、上記存在箇所に対応する必要情報を抽出し、メモリに記憶する必要情報抽出手順と；
上記必要情報抽出手順で抽出された必要情報を、上記携帯端末の上記表示領域と関連付けて、携帯端末用ＷＷＷ情報として、メモリに保存する携帯端末用ＷＷＷ情報保存手順と；
上記携帯端末用ＷＷＷ情報保存手順で保存された上記携帯端末用ＷＷＷ情報に基づいて、インターネット上に携帯端末で閲覧可能な携帯端末用ＷＷＷ文書を提供する携帯端末用ＷＷＷ文書提供手順と；
をコンピュータに実行させるプログラム。
【請求項１８】
インターネット上で、ウェブサーバによって、ユーザ端末に閲覧可能に提供される汎用ＷＷＷ文書から、携帯端末で閲覧可能な携帯端末用ＷＷＷ文書を作成する携帯端末用ＷＷＷ文書作成する場合、
上記汎用ＷＷＷ文書における必要情報の存在箇所と、上記必要情報を表示する携帯端末の表示領域とを、表示情報として指定し、メモリに記憶する表示情報指定手順と；
上記表示情報指定手順で指定された上記表示情報に基づいて、上記汎用ＷＷＷ文書の中から、上記存在箇所に対応する必要情報を抽出し、メモリに記憶する必要情報抽出手順と；
上記必要情報抽出手順で抽出された必要情報を、上記携帯端末の上記表示領域と関連付けて、携帯端末用ＷＷＷ情報として、メモリに保存する携帯端末用ＷＷＷ情報保存手順と；
上記携帯端末用ＷＷＷ情報保存手順で保存された上記携帯端末用ＷＷＷ情報に基づいて、インターネット上に携帯端末で閲覧可能な携帯端末用ＷＷＷ文書を提供する携帯端末用ＷＷＷ文書提供手順と；
をコンピュータに実行させるプログラムを記録したコンピュータ読取可能な記録媒体。
【発明の詳細な説明】
【技術分野】
【０００１】
本発明は、携帯端末用ＷＷＷ文書作成装置、携帯端末用ＷＷＷ文書作成システム、携帯端末用ＷＷＷ文書作成方法、プログラムおよび記録媒体に係り、より詳細には、インターネット上で閲覧可能に提供される汎用ＷＷＷ文書から携帯端末で閲覧可能な携帯端末用ＷＷＷ文書を作成する装置、方法、プログラムおよび記録媒体に関する。
【背景技術】
【０００２】
インターネット上で閲覧可能なＷＷＷ（World Wide Web）文書を作成する従来方法として、パソコン等の端末７００を用いてＨＴＭＬ（Hyper Text Markup Language）等の専用言語でＷＷＷ文書を作成し、作成されたＷＷＷ文書をウェブサーバに登録する方法が知られている（たとえば、特許文献１参照）。
【０００３】
また、インターネット上に氾濫するＷＷＷ文書を、効率的に閲覧するために、または、閲覧させるために、既存のＷＷＷ文書を、予め指定した設定に基づいて加工し、情報を集約し、新たなＷＷＷ文書を自動的に作成するシステムが、コンテンツ変換ソフトとして提供されている（たとえば、非特許文献１）。
【０００４】
次に、インターネット上のＷＷＷ文書から情報を集約し、新たなＷＷＷ文書を作成する従来例の概要について説明する。
【０００５】
図１２は、インターネット上のＷＷＷ文書から情報を集約し、新たなＷＷＷ文書を作成する従来例の概要を示す図である。
【０００６】
従来のＷＷＷ文書変換サーバ６００は、インターネット上で閲覧可能なＷＷＷ文書１、ＷＷＷ文書２、ＷＷＷ文書３について、ＨＴＭＬ構造を解析し、タグ情報を抽出した後に、所定のタグを選択して、ＷＷＷ文書１、ＷＷＷ文書２、およびＷＷＷ文書３から、それぞれコンテンツの部分１、部分２、部分３を抽出し、新たなＷＷＷ文書Ａを作成する。
【０００７】
ユーザは、パーソナルコンピュータ等の端末７００を用い、アプリケーションサーバが作成したＷＷＷ文書Ａを閲覧することによって、ＷＷＷ文書１、ＷＷＷ文書２、ＷＷＷＷ文書３に含まれているコンテンツの一部である部分１、部分２、部分３に掲載された情報を、取得することができる。ＷＷＷ文書変換サーバ６００の代わりに、プロキシサーバまたはアプリケーションサーバを使用するようにしてもよい。
【特許文献１】特開平１０−１３３９８８号公報（図４）
【非特許文献１】「注目製品選択のポイント」日経オープンシステムズ、２０００年８月
【発明の開示】
【発明が解決しようとする課題】
【０００８】
携帯電話の急速な普及に伴い、携帯電話でＷＷＷ文書を閲覧するユーザが、増加している。通常のパーソナルコンピュータ等の端末７００で閲覧可能なＷＷＷ文書（以後、「汎用ＷＷＷ文書」という）が使用するタグと、携帯電話で閲覧可能なＷＷＷ文書（以後、「携帯端末用ＷＷＷ文書」という）が必要とするタグとが異なり、携帯端末の画面で表示可能なＷＷＷ文書のデータ量は、通常のパーソナルコンピュータ等の端末７００の画面で表示可能なＷＷＷ文書のデータ量よりも少ないので、従来のＷＷＷ文書変換サーバ６００では、携帯電話で閲覧可能な携帯端末用ＷＷＷ文書を自在に作成することが困難であるという問題がある。
【０００９】
また、従来のＷＷＷ文書変換サーバ６００は、利用可能な汎用ＷＷＷ文書、その抽出部分、生成されるページのレイアウト等について、サーバ側の設定に委ねられ、ユーザ端末７００側で、自由にこれらを設定することができない。したがって、従来例では、携帯電話で閲覧しやすい携帯端末用ＷＷＷ文書を作成することはできないという問題がある。
【００１０】
さらに、上記従来例では、携帯電話に特有の音楽やメッセージ等を配信する機能を活用することができないという問題がある。
【００１１】
本発明は、汎用ＷＷＷ文書から閲覧する文書、その抽出部分、生成されるページのレイアウト等を、ユーザ側で、自在に設定することができ、個々の携帯端末利用者に特化された携帯端末用ＷＷＷ文書を提供することができる携帯端末用ＷＷＷ文書作成装置、携帯端末用ＷＷＷ文書作成システム、携帯端末用ＷＷＷ文書作成方法、プログラムおよび記録媒体を提供することを目的とする。
【課題を解決するための手段】
【００１２】
本発明は、インターネット上で閲覧可能に提供される汎用ＷＷＷ文書に基づいて、携帯端末で閲覧可能な携帯端末用ＷＷＷ文書を作成する携帯端末用ＷＷＷ文書作成装置において、上記汎用ＷＷＷ文書における必要情報の存在箇所と、上記必要情報を表示する携帯端末の表示領域とを指定する表示情報に基づいて、上記汎用ＷＷＷ文書の中から、上記存在箇所に対応する必要情報を、抽出し、この抽出した必要情報を、上記携帯端末の上記表示領域と関連付けて、携帯端末用ＷＷＷ情報として、保存し、この保存されている携帯端末用ＷＷＷ情報に基づいて、インターネット上に携帯端末で閲覧可能な携帯端末用ＷＷＷ文書を、提供する携帯端末用ＷＷＷ文書作成装置である。
【発明の効果】
【００１３】
本発明によれば、汎用ＷＷＷ文書から閲覧する文書、その抽出部分、生成されるページのレイアウト等を、自在に、ユーザ側で設定し、個々の携帯電話利用者に特化された携帯端末用ＷＷＷ文書を提供するので、携帯電話でＷＷＷ文書の閲覧を希望するユーザのニーズに適切に応えることができるという効果を奏する。
【発明を実施するための最良の形態】
【００１４】
発明を実施するための最良の形態は、以下の実施例である。
【実施例１】
【００１５】
図１は、本発明の実施例１である携帯端末用ＷＷＷ文書作成システムＤＭ１のブロック図である。
【００１６】
携帯端末用ＷＷＷ文書作成システムＤＭ１は、ウェブサーバ１００と、ユーザ端末２００と、携帯端末３００とを有する。
【００１７】
ウェブサーバ１００と、ユーザ端末２００と、携帯端末３００とは、それぞれ、図示しない送受信部を具備し、インターネット等のコンピュータネットワークを介して、情報データを送受信する。
【００１８】
ウェブサーバ１００は、インターネット上で汎用ＷＷＷ（World Wide Web）文書を、コンピュータ等の端末に閲覧可能に提供するウェブサーバである。
【００１９】
ウェブサーバ１００は、汎用ＷＷＷ文書情報保存部１１０と、必要情報抽出手段１２０と、携帯端末用ＷＷＷ情報保存部１３０と、携帯端末用ＷＷＷ情報提供手段１４０とを有する。
【００２０】
汎用ＷＷＷ文書情報保存部１１０は、汎用ＷＷＷ文書を表す汎用ＷＷＷ文書情報を保存する。
【００２１】
必要情報抽出手段１２０は、ユーザ端末２００の表示情報指示手段２１０によって指定された表示情報に基づいて、汎用ＷＷＷ文書情報保存部１１０に保存されている汎用ＷＷＷ文書を表す汎用ＷＷＷ文書情報の中から、存在箇所に対応する必要情報を抽出する。
【００２２】
携帯端末用ＷＷＷ情報保存部１３０は、必要情報抽出手段１２０が抽出した必要情報を、携帯端末３００の表示領域と関連付けて、携帯端末用ＷＷＷ情報として保存する。
【００２３】
携帯端末用ＷＷＷ情報提供手段１４０は、携帯端末用ＷＷＷ情報保存部１３０が保存している上記携帯端末用ＷＷＷ情報に基づいて、携帯端末で閲覧可能な携帯端末用ＷＷＷ文書を、インターネット上に、提供する。
【００２４】
汎用ＷＷＷ文書情報保存部１１０と、携帯端末用ＷＷＷ情報保存部１３０とは、ハードディスク、ＲＡＭ（Random Access Memory）等の記憶装置で実現するようにしてもよい。
【００２５】
汎用ＷＷＷ文書、上記携帯端末用ＷＷＷ文書を表す汎用ＷＷＷ文書情報、上記携帯端末用ＷＷＷ文書情報は、それぞれ文書を定義する文書定義情報を含んでいる。
【００２６】
必要情報抽出手段１２０は、文書定義情報変操部１２１と、データ量判定部１２２と、情報分割部１２３と、リンク情報付加部１２４とを有する。
【００２７】
文書定義情報変操部１２１は、汎用ＷＷＷ文書情報から抽出した必要情報の文書定義情報を、携帯端末用ＷＷＷ文書情報の文書定義情報に変換する。ここで、上記「文書定義情報」は、タグ、文字コード等を含む。文書定義情報変換部１２１は、所定のタグと、文字コードとを、携帯端末の仕様に合わせて除去または変換する。
【００２８】
携帯端末の画面で表示可能なＷＷＷ文書のデータ量は、通常のパーソナルコンピュータ等の端末の画面で表示可能なＷＷＷ文書のデータ量より少ない。
【００２９】
したがって、データ量判定部１２２は、抽出された必要情報について、必要情報のデータ量が所定のしきい値を超えるか否かを判定する。
【００３０】
情報分割部１２３は、必要情報のデータ量が所定のしきい値を超えると判定された場合に、必要情報を分割する。
【００３１】
リンク情報付加部１２４は、分割された必要情報毎に、分割された必要情報を順番にリンクさせるリンク情報を付加する。ここで、しきい値は携帯端末３００の画面に表示される携帯端末用ＷＷＷ文書１ページ分のデータ量に対応することが好ましい。
【００３２】
端末識別情報入力部２１５は、閲覧を認める携帯端末の端末識別番号を入力する。
【００３３】
表示情報指示手段２１０、端末識別情報入力部２１５は、マウス、キーボード、キーパッド等のコンピュータの入力装置で実現するようにしてもよい。
【００３４】
ウェブサーバ１００の携帯端末用ＷＷＷ情報提供手段１４０は、端末識別情報設定部１４１と、端末識別情報認証部１４２とを有する。
【００３５】
端末識別情報設定部１４１は、ユーザ端末２００によって入力された端末識別番号を設定する。
【００３６】
端末識別情報認証部１４２は、端末識別情報設定部１４１によって設定された端末識別番号に基づいて、携帯端末を認証する。端末識別情報認証部１４２によって認証された端末識別番号を入力した携帯端末にのみ、携帯端末用ＷＷＷ文書を閲覧可能に提供する。
【００３７】
ユーザ端末２００は、汎用ＷＷＷ文書を閲覧する端末であり、パーソナルコンピュータである。携帯端末３００は、携帯電話である。
【００３８】
ユーザ端末２００は、表示情報指示手段２１０と、端末識別情報入力部２１５とを有する。
【００３９】
表示情報指示手段２１０は、汎用ＷＷＷ文書における必要情報の存在箇所と、上記必要情報を表示する携帯端末３００の表示領域とを、表示情報として指定する手段である。
【００４０】
端末識別情報入力部２１５は、汎用ＷＷＷ文書を表示するディスプレイ等の表示部（図示されていない）を有し、ユーザは、この表示部に表示されている汎用ＷＷＷ文書を閲覧しながら、表示情報を入力することができる。
【００４１】
携帯端末３００は、表示手段３１０と、端末識別情報入力部３１５とを有し、表示手段３１０は、携帯端末用ＷＷＷ文書を表示する表示領域を有する液晶ディスプレイ等から構成され、端末識別情報入力部３１５は、端末識別番号を入力するボタン等によって構成されている。
【００４２】
次に、ウェブサーバ１００、ユーザ端末２００、携帯端末３００によって構成されている携帯端末用ＷＷＷ文書作成システムＤＭ１ＤＭ１が実行する処理の概要について説明する。
【００４３】
図２は、ウェブサーバ１００、ユーザ端末２００、携帯端末３００を有する携帯端末用ＷＷＷ文書作成システムＤＭ１ＤＭ１が実行する処理の概要を説明する図である。
【００４４】
図２に示すように、ウェブサーバ１００は、パーソナルコンピュータ等の端末２００で閲覧可能な汎用ＷＷＷ文書１、ＷＷＷ文書２、ＷＷＷ文書３を、インターネット上で提供している。
【００４５】
ユーザ端末２００は、ウェブサーバ１００に、それぞれの汎用ＷＷＷ文書の中で必要な情報が存在している箇所と必要情報とを表示する携帯端末３００の表示領域を、表示情報として指定する。
【００４６】
ここでは、必要な情報が存在している箇所として、汎用ＷＷＷ文書１、汎用ＷＷＷ文書２、および汎用ＷＷＷ文書３から、それぞれ部分１、部分２、部分３を指定する。ウェブサーバ１００は、ユーザ端末２００の指示に従って、汎用ＷＷＷ文書１、汎用ＷＷＷ文書２、汎用ＷＷＷ文書３からそれぞれ、抽出した部分１、部分２、部分３を含む携帯端末用ＷＷＷ文書を作成し、インターネット上に提供する。ウェブサーバ１００によって作成されインターネット上に提供される携帯端末用ＷＷＷ文書を、携帯端末３００が閲覧することができる。
【００４７】
次に、携帯端末用文書作成システムＤＭ１の全体の動作について説明する。
【００４８】
図３は、携帯端末用文書作成システムＤＭ１の全体の動作を示すフローチャートである。
【００４９】
まず、ユーザ端末２００から、端末識別番号が入力される（Ｓ１）。入力された識別番号は、インターネットを介して、ウェブサーバ１００に送信され、ウェブサーバ１００の端末識別情報設定部１４１に、携帯端末を認証する端末識別番号として設定される（Ｓ２）。
【００５０】
また、ユーザ端末２００から、汎用ＷＷＷ文書における必要情報の存在箇所と、上記必要情報を表示する携帯端末の表示領域とが、表示情報として指定される（Ｓ３）。
【００５１】
図４は、携帯端末用ＷＷＷ文書作成システムＤＭ１ＤＭ１において使用される表示情報の一例を示す図である。
【００５２】
表示情報は、必要情報の存在箇所を特定する指定ＵＲＬ（図４では、http://www.goo.ne.jp/index/html）と、必要部分（図４では、HTML[0].BODY[0].TABLE[2].TBODY[0].TR[0].TD[2]）と、携帯端末の表示領域（すなわち指定領域（図４では、z-index:7））の情報とによって構成されている。
【００５３】
ユーザ端末２００によって指定された表示情報は、インターネットを介して、ウェブサーバ１００に送信される。ユーザ端末２００から受信した表示情報に従って、ウェブサーバ１００の必要情報抽出手段１２０は、汎用ＷＷＷ文書情報保存部１１０に保存された汎用ＷＷＷ文書を表す汎用ＷＷＷ文書情報の中から、存在箇所に対応する必要情報を抽出する（Ｓ４）。
【００５４】
このときに、読み込まれる汎用ＷＷＷ文書情報の木構造が解析される。
【００５５】
図５は、汎用ＷＷＷ文書情報のＨＴＭＬのソースと対応する木構造の一例を示す図である。
【００５６】
図４において、ＷＩＤＬ（Web Interface Definition Language）（詳しくは、文献『Web Interface Definition Language(WIDL)』http://www.w3.org/TR/NOTE-widl.htmlを参照）によって、この木構造の部分指定を記述した例が示されているが、文献『構造化文書からの情報抽出方法及び情報抽出プログラム及び情報抽出プログラムを格納した記憶媒体』（特願２００２−１９０６２１）の記述方法を用いることによって、ＷＷＷ文書に若干の変更があった場合でも、高い確度で抽出することができる。
【００５７】
このような木構造中の部分記述は、文献『構造化文書の部分指定・抽出方法及び装置及び構造化文書の部分指定・抽出プログラム及び構造化文書の部分指定・抽出プログラムを格納した記憶媒体』（特願２００２−２０４６４１）によって、ブラウザを用いたグラフィカルなインタフェースによって容易に取得することができる。
【００５８】
図４に示す表示情報は、http://www.goo.ne.jp/index/htmlのＷＷＷ文書の木構造中、３番目の表（TABLE[2]）の第１列（TR[0]）の左から３番目（TR[2]）のセルを指定した例である。
【００５９】
このような操作は、ＷＷＷ文書のＤＯＭ（Document Object Mode）を解析するスクリプトを用いて、容易に記述することが可能であり、ブラウザで実行することができる（詳しくは、文献“David Flangan,『Java（登録商標）Script:The Definitive Guide, Fourth Edition』 CHAPTER 17 the Document Object Model, pp.274-313, O' Reilly & Associates, Inc. 米国”を参照されたい）。
【００６０】
この後に、汎用ＷＷＷ文書情報から抽出された必要情報のタグ、文字コード等の文書定義情報が、必要情報抽出手段１２０の文書定義情報変換部１２１によって、携帯端末用ＷＷＷ文書情報の文書定義情報に変換される（Ｓ５）。
【００６１】
上記のように、汎用ＷＷＷ文書と上記携帯端末用ＷＷＷ文書とを表す汎用ＷＷＷ文書情報と上記携帯端末用ＷＷＷ文書情報は、それぞれ文書を定義する文書定義情報、たとえばタグ、文字コード等を含んでいるが、携帯端末の場合は、表示が画面が小さく、記憶部の容量が限られている等の理由から、汎用ＷＷＷ文書で使用されるタグ、文字コードと携帯端末用ＷＷＷ文書で使用されるタグ、文字コードとが異なる場合がある。
【００６２】
図６は、Ｓ５で、文書定義変換部１２１によって実行される所定のタグを除去または変換する文書定義情報変換の一例を示す図である。
【００６３】
さらに、必要情報のデータ量が、所定のしきい値を超えるか否かを、データ量判定部１２２が判定する（Ｓ６）。携帯端末の画面で表示可能なＷＷＷ文書のデータ量は、通常のパーソナルコンピュータ等の端末の画面で表示可能なＷＷＷ文書のデータ量よりも少ない。Ｓ６で、必要情報のデータ量が、所定のしきい値を超えると判定された場合、しきい値を超えると判定された必要情報を、情報分割部１２３が分割し（Ｓ７）、この分割された必要情報毎に、リンク情報付加部１２４が、上記分割された必要情報を順番にリンクさせるリンク情報を付加する（Ｓ８）。
【００６４】
このようにして、抽出された必要情報は、携帯端末用ＷＷＷ情報として、携帯端末用ＷＷＷ情報保存部１３０に保存され（Ｓ９）、インターネット上で、Ｓ２で設定された端末識別番号に基づいて認証された携帯端末に、携帯端末用ＷＷＷ文書として閲覧可能に提供される（Ｓ１０）。
【００６５】
Ｓ７で、必要情報のデータ量が所定のしきい値を超えないと判定された場合、Ｓ９に進む。
【００６６】
上記のようにして、汎用ＷＷＷ文書から携帯端末用ＷＷＷ文書が作成され、携帯端末に閲覧可能にインターネット上で提供される。
【００６７】
図７は、実施例１において、コンピュータ画面に表示されているホームページの中から作成した携帯端末用ＷＷＷ文書を、携帯端末で表示した例を示す図である。
【００６８】
ただし、抽出した文書のデータ量は、携帯端末で表示可能な文書のデータ量の範囲内であるとする。
【００６９】
図８は、実施例１において、コンピュータ画面に表示されているホームページの中から、トップページ、ビジネスページ、ホビーページを抽出し、それぞれのページをシートメニュー、部分メニュー、部分メニューの内容と、３層に構成して作成した携帯端末用ＷＷＷ文書を、携帯端末で表示している例を示す図である。
【００７０】
図９は、実施例１において、コンピュータ画面に表示されているホームページの中から抽出した文書のデータ量が多過ぎると判定されたので、３ページに分割された例を示す図である。
【００７１】
分割されたページには、それぞれリンクが張られ、携帯端末の画面上で、「前へ」「次へ」のコマンドを操作することによって、閲覧することができる。
【００７２】
以上のように、実施例の携帯端末用ＷＷＷ文書作成システムＤＭ１によれば、インターネット上で閲覧可能な汎用ＷＷＷ文書から、任意の部分を抽出し、生成するページのレイアウト等を自在にユーザ側で設定し、個々の携帯端末利用者に特化された携帯端末用ＷＷＷ文書を作成し、インターネット上で閲覧可能に提供することができる。
【００７３】
実施例１では、作成された携帯端末用ＷＷＷ文書は、端末認証情報設定部で設定された端末識別番号に基づいて認証された携帯端末にのみ閲覧可能であり、いわゆるマイページ等の個人用ホームページを想定している。しかし、実施例１は、端末識別番号による認証が不要である通常のホームページにも、適用可能である。
【００７４】
また、実施例１では、端末識別番号を携帯端末から入力するが、端末識別番号は、携帯端末に固有の電話番号、端末ＩＤ等でもよく、この場合、携帯端末から入力せずに、サーバ側で、携帯端末を認証することができる。
【００７５】
また、図３に示すフローチャートの動作をプログラムとして構築するようにしていもよい。つまり、実施例１は、インターネット上で閲覧可能に提供される汎用ＷＷＷ文書に基づいて、携帯端末で閲覧可能な携帯端末用ＷＷＷ文書を作成する携帯端末用ＷＷＷ文書作成装置において、上記汎用ＷＷＷ文書における必要情報の存在箇所と、上記必要情報を表示する携帯端末の表示領域とを指定する表示情報を、入力する表示情報入力手段と、上記表示情報入力手段によって入力された上記表示情報に基づいて、上記汎用ＷＷＷ文書の中から、上記存在箇所に対応する必要情報を、抽出する必要情報抽出手段と、上記必要情報抽出手段が抽出した必要情報を、上記携帯端末の上記表示領域と関連付けて、携帯端末用ＷＷＷ情報として、保存する携帯端末用ＷＷＷ情報保存手段と、上記携帯端末用ＷＷＷ情報保存手段に保存されている上記携帯端末用ＷＷＷ情報に基づいて、インターネット上に携帯端末で閲覧可能な携帯端末用ＷＷＷ文書を、提供する携帯端末用ＷＷＷ情報提供手段とを有することを特徴とする携帯端末用ＷＷＷ文書作成装置の例である。
【００７６】
そして、上記プログラムを、ウェブサーバ、ユーザ端末として利用されるコンピュータにインストールし、また、ネットワークを介して、流通させるようにしてもよい。
【００７７】
つまり、上記実施例をプログラムの発明として把握することができる。すなわち、上記実施例は、インターネット上で、ウェブサーバによって、ユーザ端末に閲覧可能に提供される汎用ＷＷＷ文書から、携帯端末で閲覧可能な携帯端末用ＷＷＷ文書を作成する携帯端末用ＷＷＷ文書作成する場合、上記汎用ＷＷＷ文書における必要情報の存在箇所と、上記必要情報を表示する携帯端末の表示領域とを、表示情報として指定し、メモリに記憶する表示情報指定手順と、上記表示情報指定手順で指定された上記表示情報に基づいて、上記汎用ＷＷＷ文書の中から、上記存在箇所に対応する必要情報を抽出し、メモリに記憶する必要情報抽出手順と、上記必要情報抽出手順で抽出された必要情報を、上記携帯端末の上記表示領域と関連付けて、携帯端末用ＷＷＷ情報として、メモリに保存する携帯端末用ＷＷＷ情報保存手順と、上記携帯端末用ＷＷＷ情報保存手順で保存された上記携帯端末用ＷＷＷ情報に基づいて、インターネット上に携帯端末で閲覧可能な携帯端末用ＷＷＷ文書を提供する携帯端末用ＷＷＷ文書提供手順とをコンピュータに実行させるプログラムの例である。
【００７８】
また、構築されたプログラムを、ウェブサーバ、ユーザ端末として利用されるコンピュータに接続されるハードディスク、フレキシブルディスク、ＣＤ−ＲＯＭ等、可搬記憶媒体に格納し、実施例１を実施する際に、当上記コンピュータにインストールするようにしてもよい。
【００７９】
実施例１では、ウェブサーバ１００とユーザ端末２００とが、互いに異なる構成であるが、ウェブサーバ１００とユーザ端末２００とが一体であってもよい。すなわち、ユーザ端末２００が、ウェブサーバ１００の機能を有するものであってもよい。
【実施例２】
【００８０】
図１０は、本発明の実施例２である携帯端末用ＷＷＷ文書作成装置ＤＭ２を示すブロック図である。
【００８１】
携帯端末用ＷＷＷ文書作成装置ＤＭ２は、基本的には、携帯端末用ＷＷＷ文書作成装置ＤＭ１と同じであり、携帯端末用ＷＷＷ文書作成装置ＤＭ１を構成するユーザ端末２０１が、汎用ＷＷＷ文書をインターネット上で閲覧可能に提供するウェブサーバ１００から汎用ＷＷＷ文書情報を受信し、携帯端末３００で閲覧可能な携帯端末用ＷＷＷ文書を作成する点が、携帯端末用ＷＷＷ文書作成装置ＤＭ１と異なる点である。
【００８２】
上記汎用ＷＷＷ文書と、上記携帯端末用ＷＷＷ文書を表す汎用ＷＷＷ文書情報と、上記携帯端末用ＷＷＷ文書情報とは、それぞれ文書を定義する文書定義情報を含んでいる。
【００８３】
つまり、実施例２は、ユーザ端末２０１がウェブサーバの機能を有している点以外は、実施例１とほぼ同様である。したがって、同様の構成については、同じ符号を付し、その詳細な説明を省略する。
【００８４】
図１１は、本発明の第２の実施例であるユーザ端末２０１を示すブロック図である。
【００８５】
ユーザ端末２０１は、インターネット上で汎用ＷＷＷ（World Wide Web）文書を、コンピュータ等の端末に閲覧可能に提供するウェブサーバ１００と、携帯端末３００と、インターネット等のコンピュータネットワークを介して、接続されている。
【００８６】
ユーザ端末２０１は、パーソナルコンピュータであり、携帯端末３００は、携帯電話である。
【００８７】
また、ユーザ端末２０１は、汎用ＷＷＷ文書における必要情報の存在箇所と、上記必要情報とを表示する携帯端末３００の表示領域を表示情報として入力し、表示情報入力手段を構成する。
【００８８】
ユーザ端末２０１は、汎用ＷＷＷ文書を表示するディスプレイ等の表示部（図示せず）を備え、ユーザは、この表示部に表示されている汎用ＷＷＷ文書を閲覧しながら、表示情報を入力することができる。
【００８９】
ユーザ端末２０１は、ウェブサーバ１００と、ユーザ端末２０１と、携帯端末３００はそれぞれ送受信部（ウェブサーバ１００と携帯端末３００の送受信部は図示されていない）を有し、インターネット等のコンピュータネットワークを介して情報データを送受信する。
【００９０】
さらに、ユーザ端末２０１は、入力部２０５と、必要情報抽出手段２２０と、携帯端末用ＷＷＷ文書情報保存部２３０と、携帯端末用ＷＷＷ情報提供手段２４０と、送受信部２５０と、汎用ＷＷＷ文書情報保存部２６０とを有する。
【００９１】
入力部２０５は、閲覧を認める携帯端末の端末識別番号を入力する端末識別情報入力部を構成し、マウス、キーボード、キーパッド等のコンピュータの入力装置である。
【００９２】
必要情報抽出手段２２０は、入力部２０５によって入力された表示情報に基づいて、汎用ＷＷＷ文書情報保存部２６０に保存されている汎用ＷＷＷ文書を表す汎用ＷＷＷ文書情報の中から、存在箇所に対応する必要情報を抽出し、書定義情報変換部２２１と、データ量判定部２２２と、情報分割部２２３と、リンク情報付加部２２４とを有する。
【００９３】
書定義情報変換部２２１は、汎用ＷＷＷ文書情報から抽出した必要情報の文書定義情報を、携帯端末用ＷＷＷ文書情報の文書定義情報に変換する。ここで、上記「文書定義情報」は、タグ、文字コード等を含み、文書定義情報変換部２２１は、所定のタグと文字コードとを除去または変換する。
【００９４】
携帯端末の画面で表示可能なＷＷＷ文書のデータ量は、通常のパーソナルコンピュータ等の端末の画面で表示可能なＷＷＷ文書のデータ量よりも少ない。このために、必要情報抽出手段２２０は、さらに、データ量判定部２２２と、情報分割部２２３と、リンク情報付加部２２４とを有する。
【００９５】
データ量判定部２２２は、抽出された必要情報について、必要情報のデータ量が所定のしきい値を超えるか否かを判定する。
【００９６】
情報分割部２２３は、情報のデータ量が所定のしきい値を超えると判定された場合に、必要情報を分割する。
【００９７】
リンク情報付加部２２４は、分割された必要情報毎に、分割された必要情報を順番にリンクさせるリンク情報を付加する。ここで、しきい値は、携帯端末３００の画面に表示される携帯端末用ＷＷＷ文書１ページ分のデータ量に対応する値であることが好ましい。
【００９８】
携帯端末用ＷＷＷ文書情報保存部２３０は、必要情報抽出手段２２０によって抽出された必要情報を携帯端末３００の表示領域と関連付けて携帯端末用ＷＷＷ情報として保存する。
【００９９】
携帯端末用ＷＷＷ情報提供手段２４０は、携帯端末用ＷＷＷ文書情報保存部２３０によって保存されている上記携帯端末用ＷＷＷ情報に基づいて、インターネット上に携帯端末で閲覧可能な携帯端末用ＷＷＷ文書を提供し、端末識別情報設定部２４１と、端末識別情報認証部２４２とを有し、上記端末識別情報認証部２４２によって認証された端末識別番号を入力した携帯端末にのみ、携帯端末用ＷＷＷ文書を閲覧可能に提供する。
【０１００】
端末識別情報設定部２４１は、入力部２０５によって入力された端末識別番号を設定する。
【０１０１】
端末識別情報認証部２４２は、端末識別情報設定部２４１によって設定された端末識別番号に基づいて、携帯端末を認証する。
【０１０２】
送受信部２５０は、インターネット等のコンピュータネットワークを介して、ウェブサーバ１００と携帯端末３００とに、情報を送受信する。
【０１０３】
汎用ＷＷＷ文書情報保存部２６０は、送受信部２５０によって受信されたウェブサーバ１００から提供される汎用ＷＷＷ文書を表す汎用ＷＷＷ文書情報を保存する。
【０１０４】
汎用ＷＷＷ文書情報保存部２６０、携帯端末用ＷＷＷ文書情報保存部２３０は、ハードディスク、ＲＡＭ（Random Access Memory）等の記憶装置である。
【０１０５】
実施例のユーザ端末２０１の動作は、図３に示すフローチャートにおいて、端末識別番号と表示情報とが、ユーザ端末２０１の入力部２０５によって入力される点（Ｓ１、Ｓ３）を除き、図３に示すフローチャートに示す動作とほぼ同様である。したがって、Ｓ１，Ｓ３以外の動作の説明を省略する。
【０１０６】
上記のように、実施例の携帯端末用ＷＷＷ文書作成システムＤＭ２によれば、インターネット上で閲覧可能な汎用ＷＷＷ文書から、任意の部分を抽出し、生成するページのレイアウト等を自在にユーザ側で設定し、個々の携帯端末利用者に特化された携帯端末用ＷＷＷ文書を作成し、インターネット上で閲覧可能に提供することができる。
【０１０７】
実施例２では、作成された携帯端末用ＷＷＷ文書は、端末識別情報設定部１４１で設定された端末識別番号に基づいて認証された携帯端末にのみ閲覧可能であり、いわゆるマイページ等の個人用ホームページを想定しているが、端末識別番号による認証が不要である通常のホームページにも、実施例２を適用可能である。
【０１０８】
また、実施例２では、端末識別番号を携帯端末から入力するが、端末識別番号は、携帯端末に固有の電話番号、端末ＩＤ等でもよく、この場合、携帯端末から入力せずに、サーバ側で携帯端末を認証することができる。
【０１０９】
そして、このプログラムを、携帯端末用ＷＷＷ文書作成システムとして利用されるコンピュータにインストールし、または、ネットワークを介して、流通させるようにしてもよい。
【０１１０】
また、構築されたプログラムを、ウェブサーバ、ユーザ端末２０１として利用されるコンピュータに接続されるハードディスクやフレキシブルディスク、ＣＤ−ＲＯＭ等、可搬記憶媒体に格納し、実施例２を実施する際に、当上記コンピュータにインストールするようにしてもよい。
【０１１１】
実施例２によれば、汎用ＷＷＷ文書から、閲覧する文書、その抽出部分、生成されるページのレイアウト等を、自在にユーザ側で設定し、個々の携帯電話利用者に特化された携帯端末用ＷＷＷ文書を提供することができ、したがって、携帯電話で、ＷＷＷ文書の閲覧を、希望するユーザのニーズに適切に応えることができる。
【図面の簡単な説明】
【０１１２】
【図１】本発明の実施例１である携帯端末用ＷＷＷ文書作成システムＤＭ１のブロック図である。
【図２】ウェブサーバ１００、ユーザ端末２００、携帯端末３００を有する携帯端末用ＷＷＷ文書作成システムＤＭ１ＤＭ１が実行する処理の概要を説明する図である。
【図３】携帯端末用文書作成システムＤＭ１の全体の動作を示すフローチャートである。
【図４】携帯端末用ＷＷＷ文書作成システムＤＭ１ＤＭ１において使用される表示情報の一例を示す図である。
【図５】汎用ＷＷＷ文書情報のＨＴＭＬのソースと対応する木構造の一例を示す図である。
【図６】Ｓ５で、文書定義変換部１２１によって実行される所定のタグを除去または変換する文書定義情報変換の一例を示す図である。
【図７】実施例１において、コンピュータ画面に表示されているホームページの中から作成した携帯端末用ＷＷＷ文書を、携帯端末で表示した例を示す図である。
【図８】実施例１において、コンピュータ画面に表示されているホームページの中から、トップページ、ビジネスページ、ホビーページを抽出し、それぞれのページをシートメニュー、部分メニュー、部分メニューの内容と、３層に構成して作成した携帯端末用ＷＷＷ文書を、携帯端末で表示している例を示す図である。
【図９】実施例１において、コンピュータ画面に表示されているホームページの中から抽出した文書のデータ量が多過ぎると判定されたので、３ページに分割された例を示す図である。
【図１０】本発明の実施例２である携帯端末用ＷＷＷ文書作成装置ＤＭ２を示すブロック図である。
【図１１】本発明の第２の実施例であるユーザ端末２０１を示すブロック図である。
【図１２】インターネット上のＷＷＷ文書から情報を集約し、新たなＷＷＷ文書を作成する従来例の概要を示す図である。
【符号の説明】
【０１１３】
ＤＭ１、ＤＭ２…形態端末用文書作成システム、
１００…ウェブサーバ、
１１０、２６０…汎用ＷＷＷ文書情報保存部、
１２０、２２０…必要情報抽出手段、
１２１、２２１…文書定義情報変換部、
１２２、２２２…データ量判定部、
１２３、２２３…情報分割部、
１２４、２２４…リンク情報付加部、
１３０、２３０…携帯端末用ＷＷＷ文書情報保存部、
１４０、２４０…携帯端末用ＷＷＷ情報提供手段、
１４１、２４１…端末識別情報設定部、
１４２、２４２…端末識別情報認証部、
２００…ユーザ端末、
２１０…表示情報指示手段、
２１５、３１５…端末識別情報入力部、
３００…携帯端末、
３１０…表示手段、
２０５…入力部（表示情報入力手段、端末識別情報入力部）、
２５０…送受信部。
【図１】
2005322177.tif 000003
【図２】
2005322177.tif 000004
【図３】
2005322177.tif 000005
【図４】
2005322177.tif 000006
【図５】
2005322177.tif 000007
【図６】
2005322177.tif 000008
【図７】
2005322177.tif 000009
【図８】
2005322177.tif 000010
【図９】
2005322177.tif 000011
【図１０】
2005322177.tif 000012
【図１１】
2005322177.tif 000013
【図１２】
2005322177.tif 000014